(57)【要約】【課題】本発明は、従来にない非常に実用的な発炎筒載置具を提供することを目的とする。【解決手段】路面70に配され発炎筒50を横置きする凹溝形状の発炎筒載置部２を有し、前記発炎筒載置部２の下面と前記路面70との間に空隙を形成するための脚部３が該発炎筒載置部２に設けられた発炎筒載置具であって、前記発炎筒載置部２及び脚部３は、澱粉と紙繊維と水とを配合して成る成形材料を射出成形したものであり、前記澱粉と前記紙繊維との割合は、澱粉：紙繊維＝５０〜９９重量％：５０〜１重量％に設定され、更に、前記発炎筒載置部２及び脚部３は、前記発炎筒50の炎51により燃焼するように構成されたものである。【選択図】図１
2020197852.tif 000002
【特許請求の範囲】
【請求項１】
路面に配され発炎筒を横置きする凹溝形状の発炎筒載置部を有し、前記発炎筒載置部の下面と前記路面との間に空隙を形成するための脚部が該発炎筒載置部に設けられた発炎筒載置具であって、前記発炎筒載置部及び脚部は、澱粉と紙繊維と水とを配合して成る成形材料を射出成形したものであり、前記澱粉と前記紙繊維との割合は、澱粉：紙繊維＝５０〜９９重量％：５０〜１重量％に設定され、更に、前記発炎筒載置部及び脚部は、前記発炎筒の炎により燃焼するように構成されていることを特徴とする発炎筒載置具。
【請求項２】
請求項１記載の発炎筒載置具において、前記成形材料には無機系難燃剤が配合されていることを特徴とする発炎筒載置具。
【請求項３】
請求項１，２いずれか１項に記載の発炎筒載置具において、前記脚部は、前記路面に対して前記発炎筒載置部が平行となるよう設けられていることを特徴とする発炎筒載置具。
【請求項４】
請求項１〜３いずれか１項に記載の発炎筒載置具において、前記発炎筒載置部の左右上縁部には、載置した前記発煙筒を係止保持する係止片部が設けられていることを特徴とする発炎筒載置具。
【請求項５】
請求項４記載の発炎筒載置具において、前記係止片部は前記発炎筒載置部の基端側に設けられていることを特徴とする発炎筒載置具。
【発明の詳細な説明】
【技術分野】
【０００１】
本発明は、発炎筒載置具に関するものである。
【背景技術】
【０００２】
例えば高速道路における車両事故や故障等の緊急の際、後続車にそのことを知らせる手段として発炎筒が使用されている。通常、発炎筒は、点火後は手に持つのではなく、路面に置くが、点火した発炎筒を路面に直に置くと、この発炎筒の炎により路面が焦げて損傷してしまうという問題がある。
【０００３】
そこで、従来においてもこの発煙筒の炎により路面が損傷することを防止するためのものとして、例えば特許第６４３５４３７号に開示される発炎筒載置具（以下、従来例）が提案されている。
【０００４】
この従来例は、上部に発煙筒を横置きする載置面が設けられたものである。
【０００５】
従って、この従来例に発煙筒を載置した状態で路面に配することで、発煙筒の炎が路面に触れることが阻止される為、路面が焦げて損傷することがなく、しかも、従来例は燃焼性を有する為、発炎筒が燃焼することで短くなる（炎が基端側へ移動する）ことに合わせて燃焼し、よって、燃焼後に路面に残ってしまう不燃焼物（燃焼しきれなかった部位）を可及的に減らすことができる。
【先行技術文献】
【特許文献】
【０００６】
【特許文献１】特許第６４３５４３７号公報
【発明の概要】
【発明が解決しようとする課題】
【０００７】
本発明者は、前述した発炎筒載置具について更なる開発を進め、従来にない非常に実用的な発炎筒載置具を開発した。
【課題を解決するための手段】
【０００８】
添付図面を参照して本発明の要旨を説明する。
【０００９】
路面70に配され発炎筒50を横置きする凹溝形状の発炎筒載置部２を有し、前記発炎筒載置部２の下面と前記路面70との間に空隙を形成するための脚部３が該発炎筒載置部２に設けられた発炎筒載置具であって、前記発炎筒載置部２及び脚部３は、澱粉と紙繊維と水とを配合して成る成形材料を射出成形したものであり、前記澱粉と前記紙繊維との割合は、澱粉：紙繊維＝５０〜９９重量％：５０〜１重量％に設定され、更に、前記発炎筒載置部２及び脚部３は、前記発炎筒50の炎51により燃焼するように構成されていることを特徴とする発炎筒載置具に係るものである。
【００１０】
また、請求項１記載の発炎筒載置具において、前記成形材料には無機系難燃剤が配合されていることを特徴とする発炎筒載置具に係るものである。
【００１１】
また、請求項１，２いずれか１項に記載の発炎筒載置具において、前記脚部３は、前記路面70に対して前記発炎筒載置部２が平行となるよう設けられていることを特徴とする発炎筒載置具に係るものである。
【００１２】
また、請求項１〜３いずれか１項に記載の発炎筒載置具において、前記発炎筒載置部２の左右上縁部には、載置した前記発煙筒50を係止保持する係止片部４Ａ，４Ｂが設けられていることを特徴とする発炎筒載置具に係るものである。
【００１３】
また、請求項４記載の発炎筒載置具において、前記係止片部４Ａ，４Ｂは前記発炎筒載置部２の基端側に設けられていることを特徴とする発炎筒載置具に係るものである。
【発明の効果】
【００１４】
本発明は上述のように構成したから、発煙筒の炎による路面の損傷を可及的に防止することができ、しかも、澱粉が５０重量％以上含有されることで、燃焼後に極めて細かく崩壊することになりそのまま放置することも可能となるなど、従来に無い非常に実用的な発炎筒載置具となる。
【図面の簡単な説明】
【００１５】
【図１】本実施例を示す斜視図である。
【図２】本実施例を示す平面図である。
【図３】本実施例を示す側面図である。
【図４】本実施例に発炎筒を載置した状態を説明する斜視図である。
【図５】本実施例に係る要部を説明する断面図である。
【図６】本実施例の使用状態説明図である。
【図７】本実施例の使用状態説明図である。
【図８】本実施例の使用状態説明図である。
【発明を実施するための形態】
【００１６】
好適と考える本発明の実施形態を、図面に基づいて本発明の作用を示して簡単に説明する。
【００１７】
本発明の使用に際し、点火した状態の発炎筒50を発炎筒載置部２に横置きし、路面70に配する。発炎筒載置部２及び脚部３があるため、発炎筒50の炎51は路面70から離れた状態となる。
【００１８】
また、発炎筒50が燃焼することで短くなる（炎51が基端側へ移動する）ことに合わせて炎51が触れた部位から発炎筒載置部２及び脚部３は燃焼する。
【００１９】
本発明の発炎筒載置部２及び脚部３は、澱粉が５０重量％以上含有するから、燃焼して残った燃え滓は粉状であり、そのまま放置することも可能となる。
【００２０】
この点、従来例は、澱粉を４０重量％以下としている為、燃え滓が塊状となり、通行の障害となり得る。
【００２１】
更に、本発明は、澱粉が５０重量％以上と多く含有される為、密度が高くなり、これにより、空気が入りにくく、過剰な燃焼が抑制される。よって、可及的に路面70の損傷を防止できることになる。
【００２２】
澱粉を５０重量％以上含有することに基づく上記の効果は実験により確認している。
【実施例】
【００２３】
本発明の具体的な実施例について図面に基づいて説明する。
【００２４】
本実施例は、路面70に配され発炎筒50を横置きする凹溝形状の発炎筒載置部２を有し、前記発炎筒載置部２の下面と前記路面70との間に空隙を形成するための脚部３が該発炎筒載置部２に設けられた発炎筒載置具であって、発炎筒載置部２及び脚部３は、該発炎筒載置部２に載置された発炎筒50の炎51により燃焼するものである。
【００２５】
具体的には、発炎筒載置部２は、図１〜５に図示したように後述する成形材料を射出成形して構成された断面視湾曲凹状の半円筒状体である。
【００２６】
また、発炎筒載置部２の下部には、発炎筒載置部２の下面と路面70との間に空隙を形成するための門型形状の脚部３が長手方向に複数並設されている。
【００２７】
この各脚部３は、発炎筒載置部２と同一素材で一体成形されており、路面70に対して発炎筒載置部２が平行となるように構成されている。
【００２８】
また、発炎筒載置部２の左右上縁部には、載置した発煙筒50を係止保持する係止片部３Ａ，３Ｂが設けられており、この係止片部３Ａ，３Ｂは、載置具本体１の長手方向中央位置から基端側位置に設けられている。
【００２９】
本実施例に係る発炎筒載置部２及び脚部３を構成する成形材料は、澱粉と紙繊維と水と無機系難燃剤とを配合して成るもので、この澱粉と紙繊維との割合が、澱粉：紙繊維＝５０〜９９重量％：５０〜１重量％に設定されている。
【００３０】
具体的には、澱粉５１重量％，紙繊維４９重量％，水２６〜３０重量％，無機系難燃剤（例えば水酸化アルミニウム）０．０５重量％を配合している。
【００３１】
尚、澱粉は、５μｍ粒子の生分解性の澱粉であり、紙繊維は、巾５０μｍ，長さ５ｍｍの生分解性のパルプ繊維である。
【００３２】
本実施例は上述のように構成したから、点火した状態の発炎筒50を発炎筒載置部２に横設状態で載置し、路面70に配する。発炎筒50の炎51は路面70から離れた状態となる（図６参照）。
【００３３】
また、発炎筒50が燃焼することで短くなる（炎51が基端側へ移動する）ことに合わせて炎51が触れた部位から発炎筒載置部２及び脚部３は燃焼する（図７，８参照）。
【００３４】
本実施例の発炎筒載置部２及び脚部３は、澱粉が５０重量％以上含有するから、燃焼して残った燃え滓は粉状であり、そのまま放置することも可能となる。
【００３５】
即ち、発炎筒載置部２及び脚部３を構成する澱粉の粒子は極めて小さい為、燃焼により極めて細かく崩壊し、よって、例えば後続車が踏んでも走行に何ら影響するものではなく、また、風によって吹き飛ばされてその場に残ることもないから、そのまま放置することも可能となる。勿論、安全が確認されれば燃え滓の除去処理を行っても良い。
【００３６】
また、本実施例の載置具本体１は、澱粉が５０重量％以上含有されることで防炎性能が向上する。
【００３７】
これは、澱粉が多く配合されることで材料密度が高くなり、燃焼炎、高温度残渣に対する酸素遮蔽が効率的となり、防炎効果が高まると考えられる。
【００３８】
また、本実施例は、成形材料には無機系難燃剤が配合されているから、この点によっても発炎筒載置部２及び脚部３が燃え過ぎず、発炎筒50と共に良好に燃焼することになる。
【００３９】
また、本実施例は、脚部３は、路面70に対して発炎筒載置部２が平行となるよう設けられているから、良好な使用状態が得られる。
【００４０】
即ち、従来例のように発炎筒載置部が傾斜状態の場合、発炎筒50の燃焼残渣が燃焼口側へ溜って固化して壁のようになり、この燃焼残渣壁が発炎筒50の炎51の視認性を邪魔する場合があり、しかも、この固化した燃焼残渣壁は炎51が触れることで飛び散るという問題がある。
【００４１】
この点、本実施例は、発炎筒50の燃焼残渣が水平に均等固化することになる為、壁のように固化することはなく、よって、発炎筒50の炎51の視認性を邪魔することがなく、しかも、燃焼残渣の飛び散りが可及的に抑制されることになる。
【００４２】
また、本実施例は、発炎筒載置部２の左右上縁部には、載置した発煙筒50を係止保持する係止片部４Ａ，４Ｂが設けられているから、発炎筒載置部２に載置した発煙筒50を確実に保持することができる。
【００４３】
また、本実施例は、係止片部４Ａ，４Ｂは発炎筒載置部２の基端側に設けられているから、仮にこの係止片部４Ａ，４Ｂを発炎筒載置部２の左右上縁部全域に設けた場合、発炎筒50が覆われる部分が増えることで燃焼しにくくなるが、本実施例は前述した構成から発炎筒50の燃焼を阻害することなく良好な保持状態が達成される。
【００４４】
尚、本発明は、本実施例に限られるものではなく、各構成要件の具体的構成は適宜設計し得るものである。
【符号の説明】
【００４５】
２  発炎筒載置部
３  脚部
４Ａ  係止片部
４Ｂ  係止片部
50  発炎筒
51  炎
70  路面
【図１】
2020197852.tif 000003
【図２】
2020197852.tif 000004
【図３】
2020197852.tif 000005
【図４】
2020197852.tif 000006
【図５】
2020197852.tif 000007
【図６】
2020197852.tif 000008
【図７】
2020197852.tif 000009
【図８】
2020197852.tif 000010